(57)【要約】【課題】ハブなどの危険な捕獲対象でも安全確実に捕獲する。【解決手段】捕獲器１０は、互いに着脱可能に連結する略円筒状の本体パーツ２０Ａ，２０Ｂと、くびれパーツ３０と、餌室パーツ５０と、蓋７０，８０により構成される。くびれパーツ３０は、略円筒体の中央部を上下又は左右からプレスすることで、くびれ部４０を有する構造に形成される。くびれ部４０の内側には、２種類の返し４４，４８が、捕獲対象１００の進行方向に対して傾斜するように設けられている。餌室パーツ５０は、通気孔５８を有する仕切部５６を内側に有し、一端が本体パーツ２０Ｂの端部に連結され、餌６０を収容した後に他端に蓋７０が設けられる。くびれパーツ３０の開口部から捕獲対象１００が入り込むと、該捕獲対象１００が、くびれ部４０を押し広げながら進入し、通過すると圧縮された略平坦形状に戻るように、くびれ部４０が変形する。【選択図】図１
2017023099.tif 000002
【特許請求の範囲】
【請求項１】
互いに着脱可能な複数のパーツから構成される捕獲器であって、
略円筒状であって、両端が開口した一つ以上の本体パーツと、
該本体パーツに着脱可能であって、両端が開口しており、略円筒体の中央部を中心に向けて圧縮したくびれ部を有するとともに、該くびれ部の内側に複数の返しを備えたくびれパーツと、
前記本体パーツとくびれパーツの連結体の一端に着脱可能な第１の蓋パーツと、
前記連結体の他端に着脱可能な第２の蓋パーツと、
を備えており、
前記くびれ部は、捕獲対象の進入の程度により、前記圧縮された状態と、前記略円筒体の間で変形可能であることを特徴とする捕獲器。
【請求項２】
前記本体パーツ，前記くびれパーツ，前記第１及び第２の蓋パーツに対して着脱可能であって、両端が開口した略円筒状であり、内側に、通気孔を有する仕切部が設けられた通気用パーツ、
を備えたことを特徴とする請求項１記載の捕獲器。
【請求項３】
前記複数の返しは、前記くびれパーツ用の略円筒体の側面に形成された切り込みの折り返しであることを特徴とする請求項１又は２記載の捕獲器。
【請求項４】
略円筒状であって、少なくとも一方の端部が開口した本体部と、
該本体部の開口した端部に対して着脱可能な蓋部と、
前記本体部の一部を、中心に向けて圧縮したくびれ部と、
該くびれ部の内側に設けられた複数の返しと、
を備えており、
前記くびれ部は、捕獲対象の進入の程度により、前記圧縮した状態と、前記略円筒状の間で変形可能であることを特徴とする捕獲器。
【請求項５】
前記本体部の端部に着脱可能であって、両端が開口した略円筒状であり、内側に、通気孔を有する仕切部が設けられた通気用パーツ、
を備えたことを特徴とする請求項４記載の捕獲器。
【請求項６】
前記複数の返しは、前記くびれ部に相当する略円筒状の本体部の側面に形成された切り込みの折り返しであることを特徴とする請求項４又は５記載の捕獲器。
【請求項７】
前記通気用パーツは、
前記仕切部と開口端部の間に、前記捕獲対象の餌を収容可能であって、餌室パーツとして用いられることを特徴とする請求項２又は５記載の捕獲器。
【請求項８】
前記複数の返しが、長さの異なる２種類以上の返しからなることを特徴とする請求項１〜７のいずれか一項に記載の捕獲器。
【請求項９】
前記くびれ部が、該くびれ部を着脱可能に挟み込むクリップ手段により閉塞可能な柔軟性を有することを特徴とする請求項１〜８のいずれか一項に記載の捕獲器。
【請求項１０】
前記くびれ部が、該くびれ部を折り曲げないし折り畳み可能な柔軟性を有することを特徴とする請求項１〜８のいずれか一項に記載の捕獲器。
【発明の詳細な説明】
【技術分野】
【０００１】
本発明は、蛇や小動物などを捕獲する捕獲器に関するものである。
【背景技術】
【０００２】
従来より、蛇やネズミ、あるいは小動物などを捕獲するための捕獲器が各種提案されている。例えば、下記特許文献１には、ハブ捕獲器が開示されている。当該技術によれば、透光性樹脂からなる角筒状ケースと、その出口に着脱可能に設けられた袋体を有し、前記角筒状ケースの下側に逆止弁付きの筒体が配置され、前記袋体内に設けたハブ誘因物質（おとり）により前記筒体からハブを袋体内に誘い込むこととしている。また、下記特許文献２には、片方の端を閉じ、他方の端に取外しができる蓋を付けた透明な板をつけるとともに、前記筒に回転防止用の足を着けた構成のネズミ捕獲器が開示されている。当該技術によれば、前記筒の中に餌を置いておくことで、ネズミの捕獲が容易となる。
【先行技術文献】
【特許文献】
【０００３】
【特許文献１】実用新案登録第３１４９８８０号公報
【特許文献２】特開２０００−６０４１０号公報
【発明の概要】
【発明が解決しようとする課題】
【０００４】
しかしながら、上述した特許文献１に記載のハブ捕獲器は構成が大掛かりである。また、例えば、ハブ酒にする場合などには、捕獲したハブを袋体から取り出すことになるが、その作業が危険であるという課題がある。一方、前記特許文献２に記載のネズミ捕獲器は、ネズミの捕獲のみを目的としており、他の捕獲対象（例えば、蛇など）を捕獲することは前提とされていない。従って、予想外に、ネズミではなく蛇がかかった場合に、安全に蓋をすることができないという不都合がある。また、前記特許文献１及び特許文献２に記載の技術のいずれも捕獲対象が決まっており、一つの捕獲器で異なる捕獲対象に対応することができないという課題がある。
【０００５】
本発明は、以上のような点に着目したもので、捕獲対象である蛇やネズミなどの小動物を、安全確実に捕獲することができる捕獲器を提供することである。他の目的は、捕獲対象の種類に応じて、構成の変更が容易な捕獲器を提供することである。
【課題を解決するための手段】
【０００６】
本発明の捕獲器は、互いに着脱可能な複数のパーツから構成される捕獲器であって、略円筒状であって、両端が開口した一つ以上の本体パーツと、該本体パーツに着脱可能であって、両端が開口しており、略円筒体の中央部を中心に向けて圧縮したくびれ部を有するとともに、該くびれ部の内側に複数の返しを備えたくびれパーツと、前記本体パーツとくびれパーツの連結体の一端に着脱可能な第１の蓋パーツと、前記連結体の他端に着脱可能な第２の蓋パーツと、を備えており、前記くびれ部は、捕獲対象の進入の程度により、前記圧縮された状態と、前記略円筒体の間で変形可能であることを特徴とする。
【０００７】
主要な形態の一つは、前記本体パーツ，前記くびれパーツ，前記第１及び第２の蓋パーツに対して着脱可能であって、両端が開口した略円筒状であり、内側に、通気孔を有する仕切部が設けられた通気用パーツ、を備えたことを特徴とする。他の形態の一つは、前記複数の返しは、前記くびれパーツ用の略円筒体の側面に形成された切り込みの折り返しであることを特徴とする。
【０００８】
他の発明の捕獲器は、略円筒状であって、少なくとも一方の端部が開口した本体部と、該本体部の開口した端部に対して着脱可能な蓋部と、前記本体部の一部を、中心に向けて圧縮したくびれ部と、該くびれ部の内側に設けられた複数の返しと、を備えており、前記くびれ部は、捕獲対象の進入の程度により、前記圧縮した状態と、前記略円筒状の間で変形可能であることを特徴とする。
【０００９】
主要な形態の一つは、前記本体部の端部に着脱可能であって、両端が開口した略円筒状であり、内側に、通気孔を有する仕切部が設けられた通気用パーツ、を備えたことを特徴とする。他の形態の一つは、前記複数の返しは、前記くびれ部に相当する略円筒状の本体部の側面に形成された切り込みの折り返しであることを特徴とする。
【００１０】
更に他の形態の一つは、前記通気用パーツは、前記仕切部と開口端部の間に、前記捕獲対象の餌を収容可能であって、餌室パーツとして用いられることを特徴とする。更に他の形態の一つは、前記複数の返しが、長さの異なる２種類以上の返しからなることを特徴とする。更に他の形態の一つは、前記くびれ部が、該くびれ部を着脱可能に挟み込むクリップ手段により閉塞可能な柔軟性を有すること，あるいは、前記くびれ部が、該くびれ部を折り曲げないし折り畳み可能な柔軟性を有することを特徴とする。本発明の前記及び他の目的，特徴，利点は、以下の詳細な説明及び添付図面から明瞭になろう。
【発明の効果】
【００１１】
本発明によれば、捕獲器は、略円筒状であって、端部の少なくとも一方が開口した本体部と、該本体部の開口した端部に対して着脱可能な蓋部と、前記本体部の一部を、中心に向けて圧縮したくびれ部と、該くびれ部の内側に設けられた複数の返しと、を備えている。そして、前記くびれ部は、捕獲対象の進入の程度により、前記圧縮された状態と前記略円筒状の間で変形可能とした。このため、捕獲対象が前記くびれ部を通過してから，あるいは、前記くびれ部に進入した状態で蓋をすれば、安全確実に捕獲対象を閉じ込めることができる。また、必要に応じて、前記本体部に通気孔を備えた通気用パーツを着脱可能に設けることで、餌で捕獲対象を誘い出し、かつ、捕獲後は餌の再利用ができる。更に、前記本体部を互いに連結可能な本体パーツと、前記くびれ部を有するくびれパーツとによって構成することで、捕獲対象の種類に応じてパーツを組み換えて対応することができる。
【図面の簡単な説明】
【００１２】
【図１】本発明の実施例１の捕獲器の使用例を示す図である。
【図２】前記実施例１の捕獲器の分解斜視図である。
【図３】前記実施例１のくびれパーツを示す図であり、(A)はくびれ部が潰れた状態を示す側面図，(B)は前記(A)を矢印Ｆ１方向から見た平面図，(C)は前記(A)を矢印Ｆ２方向から見た正面図，(D)はくびれ部が広がった状態の正面図，(E)は返しの拡大図である。
【図４】前記実施例１の蓋を閉じる様子を示す図であり、(A)は基本例，(B)は変形例を示す図である。
【図５】本発明の返しを示す図であり、(A)及び(B)は前記実施例を示す図，(C)は比較例を示す図である。
【図６】本発明の実施例２を示す図である。
【図７】本発明の実施例３を示す図である。
【図８】本発明の他の実施例を示す図である。
【発明を実施するための形態】
【００１３】
以下、本発明を実施するための最良の形態を、実施例に基づいて詳細に説明する。
【実施例１】
【００１４】
最初に、図１〜図５を参照しながら本発明の実施例１を説明する。図１は、本実施例の捕獲器の使用例を示す図であり、図２は、本実施例の捕獲器の分解斜視図である。図３は、前記捕獲器のくびれパーツを示す図であり、(A)はくびれ部が潰れた状態を示す側面図，(B)は前記(A)を矢印Ｆ１方向から見た平面図，(C)は前記(A)を矢印Ｆ２方向から見た正面図，(D)はくびれ部が広がった状態の正面図，(E)は返しの拡大図である。図４は、本実施例の蓋を閉じる様子を示す図であり、(A)は基本形，(B)は変形例を示す図である。図５は、前記くびれ部の返しを示す図であり、(A)及び(B)は本実施例を示し、(C)は比較例を示す図である。なお、本実施例では、ハブを捕獲対象とする場合について説明するが、本発明は、ハブ以外の蛇類はもちろんのこと、ネズミなどの小動物の捕獲にも適用可能である。
【００１５】
図１(A)〜(D)及び図２に示すように、本実施例の捕獲器１０は、互いに着脱可能な複数のパーツの組み合わせにより構成されている。本実施例では、図１(C)に示すように、蓋８０，くびれパーツ３０，本体パーツ２０Ａ及び２０Ｂ，餌室パーツ５０，蓋７０により捕獲器１０を構成する。前記蓋８０は、捕獲対象１００が入るまで外しておく。なお、図２に示す通気蓋９０については、後述の実施例２において説明する。以下、各パーツについて順に説明する。
【００１６】
まず、本体パーツ２０Ａは、略円筒状であって、両端が開口しており、図２に示すように、一方の端部（図示の例では左端）の内周にはネジ部２２が形成され、他方の端部（図示の例では右端）の外周にはネジ部２４が形成されている。該本体パーツ２０Ａは、透明なプラスチック素材（例えば、ＰＥＴ）などにより形成されている。他方の本体パーツ２０Ｂは、前記本体パーツ２０Ａと同様の構成となっており、本体パーツ２０Ａのネジ部２４と本体パーツ２０Ｂのネジ部２２を螺合することにより、本体パーツ２０Ａ，２０Ｂが着脱可能に連結する。このように複数の本体パーツが連結したものを、以下、連結体をいう。なお、図示の例では、２つの本体パーツ２０Ａ，２０Ｂを用いることとしたが、１つの長い本体パーツを用いるようにしてもよいし、３つ以上の本体パーツを必要な長さに応じて連結して使用してもよい。
【００１７】
次に、くびれパーツ３０は、前記本体パーツ２０Ａ及び２０Ｂ，蓋７０及び８０，餌室パーツ５０のいずれに対しても着脱可能であって、本実施例では、本体パーツ２０Ａと蓋８０の間に配置される。前記くびれパーツ３０は、図２及び図３(A)に示すように両端部３２，３６が開口しており、図３(A)に破線で示す略円筒体３０´の中央部を、中心に向けて挟むように圧縮した略平坦状のくびれ部４０を有する。前記くびれパーツ３０の一方の端部３２の内周にネジ部３４が形成され、他方の端部３６の外周にはネジ部３８が形成されている。図示の例では、前記ネジ部３８が、本体パーツ２０Ａのネジ部２２と螺合することで、くびれパーツ３０が本体パーツ２０Ａに着脱可能に連結される。
【００１８】
前記くびれパーツ３０のくびれ部４０の内側には、内部に進入した捕獲対象１００が逆戻りしないように、複数の返し４４，４８が設けられている。一方の返し４４は、他方の返し４８よりも長く形成されている。すなわち、本実施例では、２種類の長さの返し４４，４８を用いている。これらの返し４４，４８は、図５(A)，(B)及び図３(E)に示すように、根元４３，４７よりも先端側が捕獲対象１００の進入方向前方を向くように傾斜している。仮に、図５(C)に示す比較例のように長い返し４４のみを設けた場合は、捕獲対象１００が進入すると全ての返し４４が寝てしまい、喰い込むまでには至らない。これに対し、本実施例に示すように、長い返し４４と短い返し４８の組み合わせにすることで、捕獲対象１００が進入したときに、図５(B)に示すように、短い返し４８が、捕獲対象１００にしっかりと喰い込むため、その状態で蓋８０をすることにより、安全に蓋８０を閉めることができる。
【００１９】
以上のような返し４４，４８は、例えば、図３(A)に示すくびれパーツ３０用の略円筒体３０´の周面に、図３(E)に示すような略コ字状の切り込み４２，４６を設け、その根元４３，４７から内側に向けて折り返して形成されている。具体的には、前記略円筒体３０´に切り込み４２，４６を入れてから、図３(A)に矢印で示すように、上下から前記円筒体３０´を挟むようにプレスすることで、前記くびれ部４０と、返し４４，４８が形成される。該くびれ部４０は、捕獲対象１００の進入の程度によって、前記図３(A)及び(C)に示す略平坦状に圧縮された状態と、図３(D)に示す略円筒状の間で変形可能となっている。
【００２０】
次に、図２に示すように、前記餌室パーツ５０は、前記本体パーツ２０Ａ及び２０Ｂ，くびれパーツ３０，蓋７０及び８０のいずれに対しても着脱可能な略円筒状であって、両端が開口しており、内側に、複数の通気孔５８が設けられた仕切部５６が設けられている。図示の例では、該仕切部５６は、一方の端部側（図２の左側）に設けられており、前記仕切部５６と他方の端部（図２の右側）の間には、捕獲対象１００の餌６０を収容するスペースが形成される。該餌室パーツ５０は、一端（図示の例では左端）の内周にネジ部５２が形成され、他端（図示の例では右端）の外周にネジ部５４が形成されている。前記ネジ部５２を、前記本体パーツ２０Ｂのネジ部２４と螺合することにより、前記餌室パーツ５０を本体パーツ２０Ｂに連結することができる。
【００２１】
以上のような本体パーツ２０Ａ及び２０Ｂ，くびれパーツ３０，餌室パーツ５０を連結した連結体の端部は、捕獲対象１００を誘い出している間や、捕獲対象１００が進入している間には、一端側が蓋７０で閉塞され、他端側は開口している。そして、捕獲対象１００が完全に連結体に入り込んだ時点で、他端側が蓋８０で閉塞される。前記蓋７０は、略円筒状であって、主面７２により一端側が閉塞されており、他端側の内周にネジ部７４が形成されている。該ネジ部７４は、前記本体パーツ２０Ａ，２０Ｂのネジ部２４や、くびれパーツ３０の端部３６のネジ部３８，前記餌室パーツ５０のネジ部５４のいずれにも着脱可能である。本実施例では、該蓋７０を前記餌室パーツ５０のネジ部５４に連結することで、餌６０を閉じ込めることができる。
【００２２】
もう一方の蓋８０は、略円筒状であって、主面８２により一端側が閉塞されており、他端側の外周にネジ部８４が形成されている。該ネジ部８４は、前記本体パーツ２０Ａ，２０Ｂのネジ部２２や、くびれパーツ３０の端部３２のネジ部３４，前記餌室パーツ５０のネジ部５２のいずれにも着脱可能である。本実施例では、捕獲対象１００が内部に完全に進入した後に、前記蓋８０を前記くびれパーツ３０の端部３２のネジ部３４に連結することで、捕獲対象１００を閉じ込めることができる。
【００２３】
以上のような本体パーツ２０Ａ，２０Ｂや、くびれパーツ３０，餌室パーツ５０，蓋７０，８０は、例えば、劣化に強く、耐久性に優れている合成樹脂により形成される。例えば、略円筒形の本体部分を有するペットボトル等を利用して形成することができる。また、図２には、前記くびれパーツ３０と前記蓋８０の間に、略環状のパッキン８６が配置されている。該パッキン８６は、捕獲器１０を密閉容器や保存容器として使用する場合に用いられるもので、各パーツの連結部に適宜設けられる。
【００２４】
次に、本実施例の作用を説明する。まず、図１(A)に示すように、くびれパーツ３０，本体パーツ２０Ａ及び２０Ｂ，餌室パーツ５０を連結し、該餌室パーツ５０に餌６０を収容したら、その端部を蓋７０で閉塞する。この状態を、くびれパーツ３０の端部３２側から見ると、図３(C)の通りである。くびれ部４０は圧縮された状態であるが、各パーツを透明な樹脂により形成することで、捕獲対象１００が餌６０を視認することができる。そして、捕獲対象１００は、餌６０に近付くべく、図１(B)に示すように、くびれパーツ３０の開口部から捕獲器１００の内部に進入する。この状態を、くびれパーツ３０の端部３２側から見ると、図３(D)の通りである。捕獲対象１００の進入により、該捕獲対象１００自らが、くびれ部４０の潰れた部分を持ち上げながら通過する。
【００２５】
そのまま図１(C)に示すように捕獲対象１００が餌室パーツ５０の近くまで進入すると、前記くびれ部４０は、もとの圧縮された状態に戻る。この図１(C)に示す状態，あるいは、図１(D)に示すように完全に捕獲対象１００が本体パーツ２０Ａ及び２０Ｂ内に進入したら、図４(A)に示すように、くびれ部４０を手で摘まんで（あるいは、押し潰して）蓋８０を閉めることで、安全に蓋８０をすることができる。その後、反対側の蓋７０を外して餌６０を取り出し、他の捕獲器１０で再利用することができる。一方、蓋７０を外した捕獲器１０は、前記餌室パーツ５０の仕切部５６に通気孔５８が空いているため、水を注いで内部の捕獲物（図示の例ではハブ）を洗うことができる。その後、泡盛を入れて蓋をすれば、そのままハブ酒の容器となる。すなわち、本実施例の捕獲器１０は、ハブの捕獲容器，洗浄・乾燥容器，ハブ酒容器となる。
【００２６】
このように、実施例１によれば、次のような効果がある。
(1)捕獲器１０は、全体が略円筒状であって、その一部に、中心に向けて圧縮した略平坦状のくびれ部４０を有し、該くびれ部４０の内側には複数の返し４４，４８が設けられている。また、捕獲器１０の両端には、着脱可能な蓋７０，８０が設けられる。そして、捕獲対象１００が前記くびれ部４０を通過するときに、当該捕獲対象１００の進入の程度により、該捕獲対象１００が自ら前記くびれ部４０を押し上げるため、くびれ部４０は略円筒状に変形し、通過し終えると再び圧縮された状態に戻る。このため、捕獲対象１００が前記くびれ部４０を通過中，あるいは、通過後に、前記くびれ部４０を押し潰しながら蓋７０をすれば、安全確実に捕獲対象を内部に閉じ込めることができる。
(2)捕獲器１０を、前記くびれ部４０を有するくびれパーツ３０と、略円筒状の複数の本体パーツ２０Ａ，２０Ｂと、餌室パーツ５０と、蓋７０，８０が着脱可能に連結する構造としたので、捕獲対象の種類に応じてパーツを組み換え、様々な捕獲対象に対応することができる。
【００２７】
(3)前記本体パーツ２０Ｂと蓋７０の間に、着脱可能な餌室パーツ５０を設けることとしたので、餌６０で捕獲対象１００を誘い出すことができるとともに、捕獲後は餌６０を再利用することができる。
(4)長さの異なる２種類の返し４４，４８を設けることとしたので、長さの短い返し４８が捕獲対象１００に喰い込み、捕獲しやすくなる。
(5)前記返し４４，４８を、くびれパーツ３０用の略円筒体３０´の周面に設けた切り込み４２，４６を根元４３，４７から折り曲げたものとしたので、別途内側に返しを設ける手間がかからない。また、簡単に返し４４，４８を形成することができる。
【００２８】
＜変形例＞・・・図４(B)には、本実施例の変形例が示されている。上述した例では、捕獲対象１００の進行方向後端側に、くびれ部４０を有するくびれパーツ３０を配置することとしたが、図４(B)に示す捕獲器１０Ａのように、捕獲対象１００の進行方向前方側にくびれパーツ３０を配置してもよい。図示の例では、本体パーツ２０Ｂと餌室パーツ５０の間に、前記くびれパーツ３０が配置されている。このような配置にした場合、図４(B)に示すように、捕獲対象１００がくびれ部４０に頭部１０２を突っ込んだ状態で、該くびれ部４０を持って捕獲するようになる。その際、上述したように、２種類の長さの返し４４，４８を用いているため、長い返し４４のみでは返しが全て寝てしまうが、それを防止し、短い返し４８の先端が捕獲対象１００に喰い込み、捕獲対象１００の動きを規制し、首の部分を押えやすくなる。
【実施例２】
【００２９】
次に、図６を参照しながら本発明の実施例２を説明する。なお、上述した実施例１と同一ないし対応する構成要素には、同一の符号を用いることとする（以下の実施例についても同様）。本実施例は、本発明の捕獲器を構成する各パーツの組み換え例を示すものである。まず、図６(A)に示す捕獲器１１０は、本体パーツ２０Ａ，本体パーツ２０Ｂ，くびれパーツ３０，本体パーツ２０Ｃ，本体パーツ２０Ｄ，餌室パーツ５０，蓋７０のように、くびれパーツ３０が中心にくる構成となっており、各パーツの連結部に必要に応じて前記パッキン８６が設けられる。捕獲対象１００が入ったら、本体パーツ２０Ａ側を蓋８０（図示せず）で塞ぐ。
【００３０】
図６(B)に示す捕獲器１２０は、くびれパーツを２ヶ所に設けた例である。図示の例では、本体パーツ２０Ａ，本体パーツ２０Ｂ，くびれパーツ３０Ａ，本体パーツ３０Ｃ，くびれパーツ３０Ｂ，本体パーツ２０Ｄ，餌室パーツ５０，蓋７０のように、２つのくびれパーツ３０Ａ，３０Ｂが設けられている。このようにすることで、捕獲対象１００を２ヶ所で押さえつけるようにしてもよい。本例でも、各パーツの連結部に必要に応じてパッキン８６が設けられ、捕獲対象１００が入ったら、本体パーツ２０Ａ側を蓋８０（図示せず）で塞ぐ。
【００３１】
図６(C)に示す捕獲器１３０は、本体パーツの連結体の両端に、通気蓋９０Ａ，９０Ｂを設けた例である。通気蓋９０Ａ，９０Ｂは、基本的には、前記餌室パーツ５０と同様の構成となっている。図２を参照して説明すると、通気蓋９０は、両端が開口した略円筒状であって、一方の端部の内周にネジ部９２が形成され、他方の端部の外周にネジ部９４が形成されている。そして、内側には、複数の通気孔９８を有する仕切部９６が設けられている。前記餌室パーツ５０との違いは、前記餌６０を収納するスペースの有無のみである。
【００３２】
このような通気蓋９０は、前記通気孔９８は空いているものの、仕切部９６によって捕獲対象１００が逃げるのを防止することができる。そこで、例えば、図６(C)に示すように、４つの本体パーツ２０Ａ〜２０Ｄの連結体の一端に通気蓋９０Ａを設け、他端に通気蓋９０Ｂを設けることにより、内部に捕獲した捕獲対象の保管容器や乾燥容器として利用することができる。また、図６(D)に示す捕獲器１４０のように、本体パーツ２０Ａ〜２０Ｄの両端を、蓋７０，８０で閉塞することで密閉容器となるため、ハブ酒の容器としても利用が可能である。このように、実施例２によれば、各パーツの組み合わせを自在に変えることで、捕獲対象の種類や使用用途に応じて対応できるため、多目的に使用することができる。
【実施例３】
【００３３】
次に、図７を参照しながら本発明の実施例３を説明する。上述した実施例１は、くびれパーツ３０は、くびれ部４０が圧縮した状態から、捕獲対象１００により広げられ、捕獲対象１００が通過したら圧縮した状態に戻るという変形が可能なものであるが、本実施例では、さらにくびれ部４０に柔軟性を有する素材を用いることとした例である。まず、図７(A)に示す捕獲器１５０では、くびれパーツ３０は、少なくともくびれ部４０が柔軟性を有する素材により形成されており、着脱可能なクリップ１５２によって、くびれ部４０を挟むことで容易に端部を閉じることができる。むろん、クリップ１５２による閉塞は一時的なものとし、その後、蓋８０をしてもよい。また、図７(B)に示す捕獲器１６０では、くびれ部４０が折り曲げないし折り畳み可能な柔軟性を有する素材により形成されており、捕獲対象１００が入り込んだ後に、手１６２で前記くびれ部４０を三日月型等に変形させ、その半径を狭めるだけで、小さい力でも密閉性を高めることができる。
【００３４】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法も一例であり、同様の効果を奏する範囲内で適宜変更可能である。例えば、前記実施例１では、捕獲器１０を構成する各パーツは略円筒状としたが、完全な円筒である必要はなく、一部に平面を有する形状であってもよい。
(2)前記実施例で示した材料も一例であり、同様の効果を奏するものであれば、公知の各種の材料を用いることができる。
(3)前記実施例１〜３で示した各パーツの組み合わせは一例であり、捕獲対象の種類や大きさ、捕獲後の使用用途等に応じて、適宜組み換え可能である。
(4)前記実施例では、本体パーツとくびれパーツを連結可能な別のパーツとしたが、これも一例であり、本体パーツとくびれパーツを単一の略円筒体で形成し、その一部を圧縮することでくびれ部を形成してもよい。
【００３５】
(5)前記実施例で示した返し４４，４８も一例であり、その長さは必要に応じて適宜変更してよい。また、３種類以上の異なる形状・長さの返しを設けるようにしてもよい。
(6)前記実施例１で示した返し４４，４８の形成方法も一例であり、同様の効果を奏するものであれば、他の方法で返し４４，４８を形成してもよい。例えば、前記実施例１では、くびれパーツ３０を形成するための略円筒体３０´の周面に切り込み４２，４６を設けて折り曲げることとしたが、これも一例であり、くびれパーツ３０の内側に別途返しを設けるようにしてもよい。例えば、図８(A)及び(B)には、返し片４４Ａ，４８Ａの端部４５，４９側を折り曲げ、該端部４５，４９をくびれ部４０Ａの内周面に、圧着や接着等により取り付けた例が示されている。また、図８(C)に示すくびれ部４０Ｂでは、前記返し片４４Ａ，４８Ａの端部４５，４９が、例えば、ボルト・ナットなどのネジ止め手段１７０により取り付けられている。なお、前記ネジ止め手段１７０も一例であり、ピン止めするなど、公知の各種の取付手法を用いてよい。また、前記返し片４４Ａ，４８Ａは、樹脂製であってもよいし、金属製としてもよく、他の公知の各種の素材を用いることを妨げるものではない。
(7)前記実施例では、捕獲対象１００をハブとしたが、これも一例であり、本発明は他の公知の各種の蛇類やネズミなどの小動物の捕獲に利用してよい。むろん、前記餌６０も一例であり、捕獲対象１００に応じて適切な餌に変更可能である。
【産業上の利用可能性】
【００３６】
本発明によれば、略円筒状であって、端部の少なくとも一方が開口した本体部と、該本体部の開口した端部に対して着脱可能な蓋部と、前記本体部の一部を、中心に向けて圧縮したくびれ部と、該くびれ部の内側に設けられた複数の返しと、を備えている。そして、前記くびれ部が、捕獲対象の進入の程度により、前記圧縮された状態と前記略円筒状の間で変形可能とした。このため、捕獲対象が前記くびれ部を通過してから，あるいは、前記くびれ部に進入した状態で蓋をすれば、安全確実に捕獲対象を閉じ込めることができるため、蛇や小動物などの捕獲器の用途に適用できる。特に、ハブなどの危険な捕獲対象用の捕獲器として好適である。
【符号の説明】
【００３７】
１０，１０Ａ：捕獲器
２０Ａ，２０Ｂ，２０Ｃ，２０Ｄ：本体パーツ
２２，２４：ネジ部
３０，３０Ａ，３０Ｂ：くびれパーツ
３０´：略円筒体
３２，３６：端部
３４，３８：ネジ部
４０，４０Ａ，４０Ｂ：くびれ部
４２，４６：切り込み
４３，４７：根元
４４，４８：返し
４４Ａ，４８Ａ：返し片
４５，４９：端部
５０：餌室パーツ
５２，５４：ネジ部
５６：仕切部
５８：通気孔
６０：餌
７０，８０：蓋
７２，８２：主面
７４，８４：ネジ部
８６：パッキン
９０，９０Ａ，９０Ｂ：通気蓋
９２，９４：ネジ部
９６：仕切部
９８：通気孔
１００：捕獲対象
１０２：頭部
１１０，１２０，１３０，１４０，１５０，１６０：捕獲器
１５２：クリップ
１６２：手
１７０：ネジ止め手段
【図１】
2017023099.tif 000003
【図２】
2017023099.tif 000004
【図３】
2017023099.tif 000005
【図４】
2017023099.tif 000006
【図５】
2017023099.tif 000007
【図６】
2017023099.tif 000008
【図７】
2017023099.tif 000009
【図８】
2017023099.tif 000010